(57)【要約】【課題】着脱自在に構成された記録媒体に格納された再生可能な情報を利便性良好に再生する。【解決手段】マイクロプロセッサ１１は、ＵＳＢメモリ３が装着されたか否かを判定する装着判定部１１１と、ＵＳＢメモリ３が装着されたと判定された場合に、ＵＳＢメモリ３に再生可能な情報が格納されているか否かを判定する格納情報判定部１１２と、格納情報判定部１１２によってＵＳＢメモリ３に再生可能な情報が格納されていると判定された場合に、ＵＳＢメモリ３に格納された再生可能な情報を読み出して再生する再生実行部１１７と、を備えている。【選択図】図２
2008262608.tif 000002
【特許請求の範囲】
【請求項１】
着脱自在に構成された記録媒体から、再生可能な情報を読み出して再生する光ディスクプレーヤであって、
前記記録媒体が装着されたか否かを判定する装着判定手段と、
前記装着判定手段によって装着されたと判定された場合に、前記記録媒体に再生可能な情報が格納されているか否かを判定する格納情報判定手段と、
前記格納情報判定手段によって格納されていると判定された場合に、前記記録媒体に格納された再生可能な情報を読み出して再生する再生実行手段と、
を備えることを特徴とする光ディスクプレーヤ。
【請求項２】
前記装着判定手段によって装着されたと判定された場合に、該光ディスクプレーヤの電源が投入されているか否かを判定する電源判定手段と、
前記電源判定手段によって電源が投入されていないと判定された場合に、電源を投入する電源投入手段と、
を備えることを特徴とする請求項１に記載の光ディスクプレーヤ。
【請求項３】
前記格納情報判定手段は、前記記録媒体に複数の再生可能な情報が格納されているか否かを判定し、
前記再生実行手段は、前記格納情報判定手段によって複数の再生可能な情報が格納されていると判定された場合に、前記複数の再生可能な情報の中から、予め設定されたルールに従って１の再生可能な情報を選定し、選定された１の再生可能な情報を読み出して再生することを特徴とする請求項１又は請求項２に記載の光ディスクプレーヤ。
【請求項４】
前記再生実行手段は、前記格納情報判定手段によって複数の再生可能な情報が格納されていると判定された場合に、前記複数の再生可能な情報の中から、前記記録媒体に格納されたＦＡＴ（Ｆｉｌｅ  Ａｌｌｏｃａｔｉｏｎ  Ｔａｂｌｅｓ）において最も先頭側の１の再生可能な情報を選定し、選定された１の再生可能な情報を読み出して再生することを特徴とする請求項３に記載の光ディスクプレーヤ。
【請求項５】
外部からの操作入力を受け付けて、受け付けられた操作入力に基づいて前記記録媒体に格納された情報を再生するか否かの設定を行う再生設定手段と、
前記再生設定手段によって再生しないと設定されている場合に、前記再生実行手段の動作を禁止する禁止手段と、
を備えることを特徴とする請求項１〜請求項４のいずれかに記載の光ディスクプレーヤ。
【請求項６】
前記再生可能な情報は、音声情報及び画像情報の少なくとも一方を含むことを特徴とする請求項１〜請求項５のいずれかに記載の光ディスクプレーヤ。
【請求項７】
前記記録媒体は、ＵＳＢメモリであることを特徴とする請求項１〜請求項６のいずれかに記載の光ディスクプレーヤ。
【発明の詳細な説明】
【技術分野】
【０００１】
本発明は、着脱自在に構成された記録媒体から、再生可能な情報を読み出して再生する光ディスクプレーヤに関する。特に、着脱自在に構成されたＵＳＢメモリから、音声情報及び画像情報の少なくとも一方を読み出して再生する光ディスクプレーヤに関する。
【背景技術】
【０００２】
近年、ＵＳＢ（Ｕｎｉｖｅｒｓａｌ  Ｓｅｒｉａｌ  Ｂｕｓ）メモリ等の携帯可能なメモリの普及に伴い、インターネットを介してダウンロードされた音声情報、画像情報等をＵＳＢメモリ等に格納することができるようになってきている。
【０００３】
また、ユーザの利便性を向上するために、ＵＳＢメモリ等に格納された音声データを光ディスクプレーヤ等の光ディスクプレーヤにおいて再生する種々の装置、方法が提案されている。例えば、ＵＳＢメモリ等に格納された音声情報を再生可能なデータ再生装置が開示されている（特許文献１参照）。
【特許文献１】特開２００５−５６４７９号公報
【発明の開示】
【発明が解決しようとする課題】
【０００４】
しかしながら、ＵＳＢメモリ等に格納された音声情報等を再生するためには、ＵＳＢメモリに格納された再生可能な情報の中から１の情報を選択して、再生を実行する旨の操作入力を行う必要があり、利便性が充分ではない場合があった。
【０００５】
上記の課題に鑑みて、本発明は、着脱自在に構成された記録媒体に格納された再生可能な情報を利便性良好に再生することの可能な光ディスクプレーヤを提供することを目的としている。
【課題を解決するための手段】
【０００６】
上記目的を達成するために請求項１に記載の光ディスクプレーヤは、着脱自在に構成された記録媒体から、再生可能な情報を読み出して再生する光ディスクプレーヤであって、前記記録媒体が装着されたか否かを判定する装着判定手段と、前記装着判定手段によって装着されたと判定された場合に、前記記録媒体に再生可能な情報が格納されているか否かを判定する格納情報判定手段と、前記格納情報判定手段によって格納されていると判定された場合に、前記記録媒体に格納された再生可能な情報を読み出して再生する再生実行手段と、を備えることを特徴としている。
【０００７】
請求項２に記載の光ディスクプレーヤは、請求項１に記載の光ディスクプレーヤであって、前記装着判定手段によって装着されたと判定された場合に、該光ディスクプレーヤの電源が投入されているか否かを判定する電源判定手段と、前記電源判定手段によって電源が投入されていないと判定された場合に、電源を投入する電源投入手段と、を備えることを特徴としている。
【０００８】
請求項３に記載の光ディスクプレーヤは、請求項１又は請求項２に記載の光ディスクプレーヤであって、前記格納情報判定手段が、前記記録媒体に複数の再生可能な情報が格納されているか否かを判定し、前記再生実行手段が、前記格納情報判定手段によって複数の再生可能な情報が格納されていると判定された場合に、前記複数の再生可能な情報の中から、予め設定されたルールに従って１の再生可能な情報を選定し、選定された１の再生可能な情報を読み出して再生することを特徴としている。
【０００９】
請求項４に記載の光ディスクプレーヤは、請求項３に記載の光ディスクプレーヤであって、前記再生実行手段が、前記格納情報判定手段によって複数の再生可能な情報が格納されていると判定された場合に、前記複数の再生可能な情報の中から、前記記録媒体に格納されたＦＡＴ（Ｆｉｌｅ  Ａｌｌｏｃａｔｉｏｎ  Ｔａｂｌｅｓ）において最も先頭側の１の再生可能な情報を選定し、選定された１の再生可能な情報を読み出して再生することを特徴としている。
【００１０】
請求項５に記載の光ディスクプレーヤは、請求項１〜請求項４のいずれかに記載の光ディスクプレーヤであって、外部からの操作入力を受け付けて、受け付けられた操作入力に基づいて前記記録媒体に格納された情報を再生するか否かの設定を行う再生設定手段と、前記再生設定手段によって再生しないと設定されている場合に、前記再生実行手段の動作を禁止する禁止手段と、を備えることを特徴としている。
【００１１】
請求項６に記載の光ディスクプレーヤは、請求項１〜請求項５のいずれかに記載の光ディスクプレーヤであって、前記再生可能な情報が、音声情報及び画像情報の少なくとも一方を含むことを特徴としている。
【００１２】
請求項７に記載の光ディスクプレーヤは、請求項１〜請求項６のいずれかに記載の光ディスクプレーヤであって、前記記録媒体が、ＵＳＢメモリであることを特徴としている。
【発明の効果】
【００１３】
請求項１に記載の光ディスクプレーヤによれば、記録媒体が装着されたか否かが判定され、装着されたと判定された場合に、記録媒体に再生可能な情報が格納されているか否かが判定され、格納されていると判定された場合に、記録媒体に格納された再生可能な情報が読み出されて再生されるため、着脱自在に構成された記録媒体に格納された再生可能な情報を利便性良好に再生することができる。
【００１４】
すなわち、記録媒体が装着されたと判定され、且つ、記録媒体に再生可能な情報が格納されていると判定された場合に、記録媒体に格納された再生可能な情報が読み出されて再生されるため、ユーザの操作入力を行うことなく記録媒体に格納された再生可能な情報の再生を開始することができるので、着脱自在に構成された記録媒体に格納された再生可能な情報を利便性良好に再生することができるのである。
【００１５】
請求項２に記載の光ディスクプレーヤによれば、記録媒体が装着されたと判定された場合に、該光ディスクプレーヤの電源が投入されているか否かが判定され、電源が投入されていないと判定された場合に、電源が投入されるため、着脱自在に構成された記録媒体に格納された再生可能な情報を更に利便性良好に再生することができる。
【００１６】
すなわち、電源が投入されていないと判定された場合に電源が投入されるため、電源が投入されていない場合であっても、ユーザが電源を投入する操作入力を行うことなく記録媒体に格納された再生可能な情報の再生を開始することができるので、着脱自在に構成された記録媒体に格納された再生可能な情報を更に利便性良好に再生することができるのである。
【００１７】
請求項３に記載の光ディスクプレーヤによれば、記録媒体に複数の再生可能な情報が格納されているか否かが判定され、複数の再生可能な情報が格納されていると判定された場合に、複数の再生可能な情報の中から、予め設定されたルールに従って１の再生可能な情報が選定され、選定された１の再生可能な情報が読み出されて再生されるため、着脱自在に構成された記録媒体に格納された再生可能な情報を更に利便性良好に再生することができる。
【００１８】
すなわち、記録媒体に複数の再生可能な情報が格納されていると判定された場合に、複数の再生可能な情報の中から、予め設定されたルールに従って１の再生可能な情報が選定され、選定された１の再生可能な情報が読み出されて再生されるため、記録媒体に複数の再生可能な情報が格納されている場合であっても、ユーザが再生する対象の情報を選択する旨の操作入力を行うことなく記録媒体に格納された再生可能な情報の再生を開始することができるので、着脱自在に構成された記録媒体に格納された再生可能な情報を更に利便性良好に再生することができるのである。
【００１９】
請求項４に記載の光ディスクプレーヤによれば、複数の再生可能な情報が格納されていると判定された場合に、複数の再生可能な情報の中から、記録媒体に格納されたＦＡＴにおいて最も先頭側の１の再生可能な情報が選定され、選定された１の再生可能な情報が読み出されて再生されるため、着脱自在に構成された記録媒体に格納された再生可能な情報を簡素な構成で利便性良好に再生することができる。
【００２０】
すなわち、記録媒体に複数の再生可能な情報が格納されていると判定された場合に、複数の再生可能な情報の中から、記録媒体に格納されたＦＡＴにおいて最も先頭側の１の再生可能な情報が選定され、選定された１の再生可能な情報が読み出されて再生されるため、記録媒体に複数の再生可能な情報が格納されている場合であっても、簡素な構成で再生する対象の情報を選択することができるので、着脱自在に構成された記録媒体に格納された再生可能な情報を更に利便性良好に再生することができるのである。
【００２１】
請求項５に記載の光ディスクプレーヤによれば、外部からの操作入力が受け付けられて、受け付けられた操作入力に基づいて記録媒体に格納された情報を再生するか否かの設定が行われ、再生しないと設定されている場合に、再生動作が禁止されるため、着脱自在に構成された記録媒体に格納された再生可能な情報を更に利便性良好に再生することができる。
【００２２】
すなわち、記録媒体に格納された情報を再生しないと設定されている場合には、再生動作が禁止されるため、ユーザが再生を所望しない場合には、再生しないと設定することによって再生動作を禁止することができるので、着脱自在に構成された記録媒体に格納された再生可能な情報を更に利便性良好に再生することができるのである。
【００２３】
請求項６に記載の光ディスクプレーヤによれば、再生可能な情報が音声情報及び画像情報の少なくとも一方を含むため、着脱自在に構成された記録媒体に格納された音声情報及び画像情報の少なくとも一方を利便性良好に再生することができる。
【００２４】
請求項７に記載の光ディスクプレーヤによれば、記録媒体がＵＳＢメモリであるため、着脱自在に構成されたＵＳＢメモリに格納された再生可能な情報を利便性良好に再生することができる。
【発明を実施するための最良の形態】
【００２５】
以下に本発明の実施形態を、図面を参照しながら説明する。図１は、本発明に係るＤＶＤプレーヤ１の構成の一例を示すブロック図である。ＤＶＤプレーヤ１（光ディスクプレーヤに相当する）は、ＤＶＤ（Ｄｉｇｉｔａｌ  Ｖｅｒｓａｔｉｌｅ  Ｄｉｓｋ）（又は、ＣＤ（Ｃｏｍｐａｃｔ  Ｄｉｓｋ））１０又はＵＳＢメモリ３に格納された音声情報、画像情報等を再生するものであって、リモートコントローラ（＝Ｒｅｍｏｔｅｃｏｎｔｒｏｌｌｅｒ：以下、「リモコン」という）２と赤外線通信を介して通信可能に接続されると共に、ＵＳＢメモリ３、ディスプレイ４、及び、スピーカ５と通信可能に接続されている。
【００２６】
リモコン２（再生設定手段の一部に相当する）は、ユーザからの操作入力を受け付けて、操作入力に対応する赤外線信号を生成して、ＤＶＤプレーヤ１に対して出力するものである。
【００２７】
ＵＳＢメモリ３（記録媒体に相当する）は、予め複数の音声情報及び画像情報が格納されたものである。ディスプレイ４は、ＬＣＤ（Ｌｉｑｕｉｄ  Ｃｒｙｓｔａｌ  Ｄｉｓｐｌａｙ）等からなり、種々の情報を外部から視認可能に表示するものである。スピーカ５は、ＵＳＢメモリ３等に格納された音声情報を外部に出力するものである。
【００２８】
また、ＤＶＤプレーヤ１は、マイクロプロセッサ１１、光ピックアップ１２、ＲＦ回路１３、外部インターフェイス１４、ＵＳＢインターフェイス１５、インターフェイス１６、表示部１７、メモリ１８、及び、赤外線信号受信部１９を備えている。
【００２９】
マイクロプロセッサ１１は、ＤＶＤプレーヤ１全体の動作を制御するものである。光ピックアップ１２は、ＤＶＤ（又はＣＤ）１０に対してレーザビームを照射してデータの読み出し（ＰＬＡＹ＝再生）を行うものである。
【００３０】
ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＵＳＢインターフェイス１５（装着判定手段の一部、格納情報判定手段の一部、及び、再生実行手段の一部に相当する）は、ＵＳＢメモリ３を着脱自在に構成され、ＵＳＢ端子を介してＵＳＢメモリ３に格納された音声情報等を取得するものである。インターフェイス１６は、ケーブルを介してディスプレイ４、及び、スピーカ５との間で映像情報、音声情報、ガイダンス情報等の種々の情報の送受信を行うものである。
【００３１】
表示部１７は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１８は、種々の情報を格納するものである。赤外線信号受信部１９は、リモコン２から送信された赤外線信号を受信するものである。
【００３２】
図２は、本発明に係るＤＶＤプレーヤ１における主要部の構成の一例を示す機能構成図である。図１に示すマイクロプロセッサ１１は、機能的に、装着判定部１１１、格納情報判定部１１２、電源判定部１１３、電源投入部１１４、再生設定部１１５、禁止部１１６、及び、再生実行部１１７を備えている。
【００３３】
ここでは、マイクロプロセッサ１１が、図略のＲＯＭ（Ｒｅａｄ  Ｏｎｌｙ  Ｍｅｍｏｒｙ）等に予め格納された制御プログラムを読み出して実行することにより、装着判定部１１１、格納情報判定部１１２、電源判定部１１３、電源投入部１１４、再生設定部１１５、禁止部１１６、再生実行部１１７等の機能部として機能するものである。
【００３４】
また、メモリ１８又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３５】
装着判定部１１１（装着判定手段の一部に相当する）は、予め設定された所定時間（例えば、１秒）毎に、ＵＳＢインターフェイス１５を介して、ＵＳＢメモリ３が装着されたか否かを判定するものである。
【００３６】
格納情報判定部１１２（格納情報判定手段の一部に相当する）は、装着判定部１１１によって装着されたと判定された場合に、ＵＳＢインターフェイス１５を介して、ＵＳＢメモリ３に再生可能な情報が格納されているか否かを判定するものである。また、格納情報判定部１１２は、装着判定部１１１によって装着されたと判定された場合に、ＵＳＢインターフェイス１５を介して、ＵＳＢメモリ３に複数の再生可能な情報が格納されているか否かを判定するものである。
【００３７】
ここで、再生可能な情報であるか否かの判定は、例えば、ＵＳＢメモリ３に格納されているＦＡＴ情報のファイル形式を示す拡張子に基づいて判定するものである。例えば、ファイル形式が、音声情報のファイル形式であるＭＰ（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ）３形式、ＷＭＡ（Ｗｉｎｄｏｗｓ  Ｍｅｄｉａ  Ａｕｄｉｏ）形式、又は、画像情報のファイル形式であるＪＰＥＧ（Ｊｏｉｎｔ  Ｐｈｏｔｏｇｒａｐｈｉｃ  Ｅｘｐｅｒｔｓ  Ｇｒｏｕｐ）形式である場合に、再生可能な情報であると判定するものである。
【００３８】
また、格納情報判定部１１２は、ＵＳＢメモリ３に再生可能な情報が格納されていないと判定された場合に、ディスプレイ４に再生可能な情報が無い旨の情報（例えば、「装着されたＵＳＢメモリには再生可能な情報が格納されていません。」との文字情報）をＯＳＤ（Ｏｎ−Ｓｃｒｅｅｎ  Ｄｉｓｐｌａｙ）として表示するものである。
【００３９】
電源判定部１１３（電源判定手段に相当する）は、装着判定部１１１によってＵＳＢメモリ３が装着されたと判定された場合に、ＤＶＤプレーヤ１の電源が投入されているか否かを判定するものである。
【００４０】
電源投入部１１４（電源投入手段に相当する）は、電源判定部１１３によって電源が投入されていないと判定された場合に、電源を投入するものである。
【００４１】
再生設定部１１５（再生設定手段の一部に相当する）は、リモコン２を介してユーザからからの操作入力を受け付けて、受け付けられた操作入力に基づいてＵＳＢメモリ３に格納された情報を再生するか否かの設定を行うものである。
【００４２】
禁止部１１６（禁止手段に相当する）は、再生設定部１１５によって再生しないと設定されている場合に、再生実行部１１７の動作を禁止するものである。
【００４３】
再生実行部１１７（再生実行手段の一部に相当する）は、格納情報判定部１１２によってＵＳＢメモリ３に再生可能な情報が格納されていると判定された場合に、ＵＳＢメモリ３に格納された再生可能な情報を読み出して再生し、ディスプレイ４又はスピーカ５に出力するものである。なお、再生実行部１１７は、再生可能な情報が音声情報である場合には、スピーカ５に出力し、再生可能な情報が画像情報である場合には、ディスプレイ４に出力するものである。
【００４４】
また、再生実行部１１７は、格納情報判定部１１２によってＵＳＢメモリ３に複数の再生可能な情報が格納されていると判定された場合に、複数の再生可能な情報の中から、ＵＳＢメモリ３に格納されたＦＡＴにおいて最も先頭側の１の再生可能な情報を選定し、選定された１の再生可能な情報をＵＳＢメモリ３から読み出して再生するものである。ただし、再生実行部１１７は、禁止部１１６によって動作が禁止されている場合には、ＵＳＢメモリ３から再生可能な情報を読み出して再生するという動作を行わないものである。
【００４５】
ただし、再生実行部１１７は、禁止部１１６によって動作が禁止されている場合には、ＵＳＢメモリ３から再生可能な情報を読み出して再生するという動作を行わないものである。また、再生実行部１１７は、禁止部１１６によって動作が禁止されている場合には、ＵＳＢメモリ３に格納された再生可能な情報のリストをファイルリストとして生成し、ディスプレイ４に表示するものである。
【００４６】
図３は、ＤＶＤプレーヤ１（主に、マイクロプロセッサ１１）の動作の一例を示すフローチャートである。ここでは、便宜上、再生設定部１１５によって予め再生するか否かの設定が行われている場合について説明する。まず、装着判定部１１１によってＵＳＢメモリ３が装着されたか否かの判定が行われる（Ｓ１０１）。ＵＳＢメモリ３が装着されていないと判定された場合（Ｓ１０１でＮＯ）には、処理が待機状態とされる。
【００４７】
ＵＳＢメモリ３が装着されたと判定された場合（Ｓ１０１でＹＥＳ）には、電源判定部１１３によって、ＤＶＤプレーヤ１の電源が投入されているか否かの判定が行われる（Ｓ１０３）。ＤＶＤプレーヤ１の電源が投入されていると判定された場合（Ｓ１０３でＹＥＳ）には、処理がステップＳ１０７に進められる。ＤＶＤプレーヤ１の電源が投入されていないと判定された場合（Ｓ１０３でＮＯ）には、電源投入部１１４によってＤＶＤプレーヤ１の電源が投入される（Ｓ１０５）。ステップＳ１０５の処理が終了した場合、又は、ステップＳ１０３でＹＥＳの場合には、格納情報判定部１１２によって、ＵＳＢメモリ３に再生可能な情報が格納されているか否かが判定される（Ｓ１０７）。
【００４８】
再生可能な情報が格納されていないと判定された場合（Ｓ１０７でＮＯ）には、格納情報判定部１１２によって、再生可能な情報が無い旨の情報がディスプレイ４に表示され（Ｓ１０９）、処理が終了される。再生可能な情報が格納されていると判定された場合（Ｓ１０７でＹＥＳ）には、格納情報判定部１１２によって、ＵＳＢメモリ３に複数の再生可能な情報が格納されているか否かが判定される（Ｓ１１１）。複数の再生可能な情報が格納されていない（＝再生可能な情報は１つである）と判定された場合（Ｓ１１１でＮＯ）には、処理がステップＳ１１５へ進められる。
【００４９】
複数の再生可能な情報が格納されていると判定された場合（Ｓ１１１でＹＥＳ）には、再生実行部１１７によって、ＵＳＢメモリ３に格納されたＦＡＴにおいて最も先頭側の１の再生可能な情報が再生対象の情報として選定される（Ｓ１１３）。ステップＳ１１３の処理が終了した場合、又は、ステップＳ１１１でＮＯの場合には、禁止部１１６によって、再生すると設定されているか否かの判定が行われる（Ｓ１１５）。再生すると設定されている場合（Ｓ１１５でＹＥＳ）には、再生可能な情報がＵＳＢメモリ３から読み出されて再生され（Ｓ１１７）、処理が終了される。再生しないと設定されている場合（Ｓ１１５でＮＯ）には、再生実行部１１７によって、ファイルリストがディスプレイ４に表示され（Ｓ１１９）、処理が終了される。
【００５０】
このようにして、ＵＳＢメモリ３が装着されたか否かが判定され、装着されたと判定された場合に、ＵＳＢメモリ３に再生可能な情報が格納されているか否かが判定され、格納されていると判定された場合に、ＵＳＢメモリ３に格納された再生可能な情報が読み出されて再生されるため、着脱自在に構成されたＵＳＢメモリ３に格納された再生可能な情報を利便性良好に再生することができる。
【００５１】
すなわち、ＵＳＢメモリ３が装着されたと判定され、且つ、ＵＳＢメモリ３に再生可能な情報が格納されていると判定された場合に、ＵＳＢメモリ３に格納された再生可能な情報が読み出されて再生されるため、ユーザの操作入力を行うことなくＵＳＢメモリ３に格納された再生可能な情報の再生を開始することができるので、着脱自在に構成されたＵＳＢメモリ３に格納された再生可能な情報を利便性良好に再生することができるのである。
【００５２】
また、ＵＳＢメモリ３が装着されたと判定された場合に、ＤＶＤプレーヤ１の電源が投入されているか否かが判定され、電源が投入されていないと判定された場合に、電源が投入されるため、着脱自在に構成されたＵＳＢメモリ３に格納された再生可能な情報を更に利便性良好に再生することができる。
【００５３】
すなわち、電源が投入されていないと判定された場合に電源が投入されるため、電源が投入されていない場合であっても、ユーザが電源を投入する操作入力を行うことなくＵＳＢメモリ３に格納された再生可能な情報の再生を開始することができるので、着脱自在に構成されたＵＳＢメモリ３に格納された再生可能な情報を更に利便性良好に再生することができるのである。
【００５４】
更に、ＵＳＢメモリ３に複数の再生可能な情報が格納されているか否かが判定され、複数の再生可能な情報が格納されていると判定された場合に、複数の再生可能な情報の中から、予め設定されたルールに従って１の再生可能な情報が選定され、選定された１の再生可能な情報が読み出されて再生されるため、着脱自在に構成されたＵＳＢメモリ３に格納された再生可能な情報を更に利便性良好に再生することができる。
【００５５】
すなわち、ＵＳＢメモリ３に複数の再生可能な情報が格納されていると判定された場合に、複数の再生可能な情報の中から、予め設定されたルールに従って１の再生可能な情報が選定され、選定された１の再生可能な情報が読み出されて再生されるため、ＵＳＢメモリ３に複数の再生可能な情報が格納されている場合であっても、ユーザが再生する対象の情報を選択する旨の操作入力を行うことなくＵＳＢメモリ３に格納された再生可能な情報の再生を開始することができるので、着脱自在に構成されたＵＳＢメモリ３に格納された再生可能な情報を更に利便性良好に再生することができるのである。
【００５６】
加えて、複数の再生可能な情報が格納されていると判定された場合に、複数の再生可能な情報の中から、ＵＳＢメモリ３に格納されたＦＡＴにおいて最も先頭側の１の再生可能な情報が選定され、選定された１の再生可能な情報が読み出されて再生されるため、着脱自在に構成されたＵＳＢメモリ３に格納された再生可能な情報を簡素な構成で利便性良好に再生することができる。
【００５７】
すなわち、ＵＳＢメモリ３に複数の再生可能な情報が格納されていると判定された場合に、複数の再生可能な情報の中から、ＵＳＢメモリ３に格納されたＦＡＴにおいて最も先頭側の１の再生可能な情報が選定され、選定された１の再生可能な情報が読み出されて再生されるため、ＵＳＢメモリ３に複数の再生可能な情報が格納されている場合であっても、簡素な構成で再生する対象の情報を選択することができるので、着脱自在に構成されたＵＳＢメモリ３に格納された再生可能な情報を更に利便性良好に再生することができるのである。
【００５８】
また、リモコン２を介してユーザからの操作入力が受け付けられて、受け付けられた操作入力に基づいてＵＳＢメモリ３に格納された情報を再生するか否かの設定が行われ、再生しないと設定されている場合に、再生動作が禁止されるため、着脱自在に構成されたＵＳＢメモリ３に格納された再生可能な情報を更に利便性良好に再生することができる。
【００５９】
すなわち、ＵＳＢメモリ３に格納された情報を再生しないと設定されている場合には、再生動作が禁止されるため、ユーザが再生を所望しない場合には、リモコン２を介して再生しないと設定することによって再生動作を禁止することができるので、着脱自在に構成されたＵＳＢメモリ３に格納された再生可能な情報を更に利便性良好に再生することができるのである。
【００６０】
更に、再生可能な情報が音声情報及び画像情報であるため、着脱自在に構成されたＵＳＢメモリ３に格納された音声情報及び画像情報を利便性良好に再生することができる。
【００６１】
なお、本発明は、以下の形態にも適用可能である。
（Ａ）本実施形態では、光ディスクプレーヤがＤＶＤプレーヤ１である場合について説明したが、着脱自在に構成された記録媒体から、再生可能な情報を読み出して再生する装置であればよい。例えば、光ディスクプレーヤが、ＣＤから音声情報を読み出して再生するＣＤプレーヤである形態でもよい。
【００６２】
（Ｂ）本実施形態では、記録媒体が、ＵＳＢメモリ３である場合について説明したが、着脱自在に構成されたその他の種類の記録媒体である形態でもよい。例えば、記録媒体がカードメモリである形態でもよい。
【００６３】
（Ｃ）本実施形態では、マイクロプロセッサ１１が、機能的に、装着判定部１１１、格納情報判定部１１２、電源判定部１１３、電源投入部１１４、再生設定部１１５、禁止部１１６、及び、再生実行部１１７を備える場合について説明したが、装着判定部１１１、格納情報判定部１１２、電源判定部１１３、電源投入部１１４、再生設定部１１５、禁止部１１６、及び、再生実行部１１７の内、少なくとも１の機能部が回路等のハードウェアによって構成されている形態でもよい。
【００６４】
（Ｄ）本実施形態では、再生可能な情報が、音声情報及び画像情報である場合について説明したが、再生可能な情報が、音声情報又は画像情報である形態でもよいし、その他の種類の情報（例えば、映像情報）である形態でもよい。
【００６５】
（Ｅ）本実施形態では、再生実行部１１７が、複数の再生可能な情報の中から、ＵＳＢメモリ３に格納されたＦＡＴにおいて最も先頭側の１の再生可能な情報を選定する場合について説明したが、再生実行部１１７が、その他の方法で１の再生可能な情報を選定する形態でもよい。例えば、再生実行部１１７が、ＦＡＴを参照して、最も格納された日時の遅い（＝最新の）再生可能な情報を選定する形態でもよい。また、例えば、再生実行部１１７が、ＦＡＴを参照して、無作為に（＝ランダムに）再生可能な情報を選定する形態でもよい。
【図面の簡単な説明】
【００６６】
【図１】は、本発明に係るＤＶＤプレーヤの構成の一例を示すブロック図である。
【図２】は、本発明に係るＤＶＤプレーヤにおける主要部の構成の一例を示す機能構成図である。
【図３】は、ＤＶＤプレーヤ（主に、マイクロプロセッサ）の動作の一例を示すフローチャートである。
【符号の説明】
【００６７】
１    ＤＶＤプレーヤ（光ディスクプレーヤ）
１１    マイクロプロセッサ
１１１    装着判定部（装着判定手段の一部）
１１２    格納情報判定部（格納情報判定手段の一部）
１１３    電源判定部（電源判定手段）
１１４    電源投入部（電源投入手段）
１１５    再生設定部（再生設定手段の一部）
１１６    禁止部（禁止手段）
１１７    再生実行部（再生実行手段の一部）
１５    ＵＳＢインターフェイス（装着判定手段の一部、格納情報判定手段の一部、再生実行手段の一部）
２    リモコン（再生設定手段の一部）
３    ＵＳＢメモリ（記録媒体）
４    ディスプレイ
５    スピーカ
【図１】
2008262608.tif 000003
【図２】
2008262608.tif 000004
【図３】
2008262608.tif 000005